(57)【特許請求の範囲】
【請求項１】
配線が接続された電池を収納する収納部を列状に配置して収納列構造体を構成し、これら収納列構造体を複数段積み重ねて床面に設置される蓄電池収納装置において、
上記複数段の収納列構造体の最下段の収納列構造体の底部に、上記床面に対して電池を所定間隔離間させるための台座を取り付け、
上記複数段の収納列構造体にその収納部の列状の配置の略全長に亘って上記配線を収納する配線収納部をそれぞれ設けたことを特徴とする蓄電池収納装置。
【発明の詳細な説明】
【０００１】
【発明の属する技術分野】
本発明は、電池を多段積みで収納可能な収納金枠としての蓄電池収納装置に関する。
【０００２】
【従来の技術】
例えば電話回線の交換局等においては、何らかの事情で電力供給が停止した場合でもその回線使用を確保しておく必要があり、そのためバックアップ用電源として鉛蓄電池が用いられている。この場合、鉛蓄電池は外部電力或いは太陽発電等によって充電されて十分な蓄電がなされ、それによってこのバックアップ用電源を上述の如き電力供給停止という非常事態に備えたものとしている。
【０００３】
ここで、電池を床面に設置する場合には、消防法によって床面から略１００ｍｍ以上隔離して設置することが定められている。このため、従来は電池を多段積みにして設置する場合には、床面にＨ鋼を２本敷いて、その上にブロック状に区画された収納部に電池を収納した収納金枠を設置している。
【０００４】
【発明が解決しようとする課題】
上述の収納金枠の収納場所は、その床面が平らであると共に、広い長方形状のスペースを要求される。しかしながら、床面は必ずしも平らであるとは限らないため、施工時に２本のＨ鋼を相互に水平且つ平行に設置することに多くの労力を要するといった問題がある。
【０００５】
また、鉛蓄電池の寸法は製造メーカによって異なるため、Ｈ鋼を規格化することができず、そのためメーカの異なる電池を収納する収納金枠を設置する場合には、その電池のメーカごとにＨ鋼を別途製作しなければならないといった問題がある。
【０００６】
更に、鉛蓄電池同士は非弾性の導体板で接続しており、多段積みにした場合の如き複数の収納部を隣接して設ける場合には、地震発生時に鉛蓄電池の電池極柱にストレスを生じさせないために、２本の長い共通のＨ鋼上に設置される。そして、複数の収納部を相互に鋼板で接続することによって鉛蓄電池の収納部が構成される。このような構成により収納部が相互に接続されることで、単一の剛体構造となっている。
【０００７】
しかしながら、必ずしも十分な広さの長方形状の設置場所を確保できない場合には、Ｈ鋼を施設する関係上複数のブロックを設置できないという問題が生じている。
【０００８】
また、鉛蓄電池を設置してそれを運用する場合には、この鉛蓄電池の性能を測定してこの性能の維持を図るため、電池端子により電圧測定等を行うことがある。この電池端子の測定は、テスタ等を用いてこの測定を手動で行う場合と、電池端子に計測線を予め接続しておいてこの鉛蓄電池の測定を常時行う場合とがある。
【０００９】
しかしながら、収納金枠においては、計測線を収納するスペースが存在しないため、電池端子が露出した側面にむき出しの状態で配線しなければならないため、この鉛蓄電池の保守作業時において作業者が誤って切断してしまうことがある。
【００１０】
本発明は上記の事情にもとづきなされたもので、その目的とするところは、Ｈ鋼を敷設することなく電池を床面に対して多段積みで収納可能であり、また計測線をむき出しにならずに収納可能な収納金枠を提供しようとするものである。
【００１１】
【課題を解決するための手段】
上記課題を解決するため、請求項１記載の発明は、配線が接続された電池を収納する収納部を列状に配置して収納列構造体を構成し、これら収納列構造体を複数段積み重ねて床面に設置される蓄電池収納装置において、上記複数段の収納列構造体の最下段の収納列構造体の底部に、上記床面に対して電池を所定間隔離間させるための台座を取り付け、上記複数段の収納列構造体にその収納部の列状の配置の略全長に亘って上記配線を収納する配線収納部をそれぞれ設けたことを特徴とする。
【００１５】
請求項１記載の発明によると、上記電池に接続された配線を収納する配線収納部が収納部の列状の配置の略全長に亘って設けられているため、電池に接続される配線をこの配線収納部で収納することにより配線がむき出しにならず、そのため、電池の保守作業時に作業者が誤ってこの配線を切断してしまうといった不具合を防止することが可能となる。
【００１６】
【発明の実施の形態】
以下、本発明の一実施の形態について、図１ないし図３に基づいて説明する。本発明の蓄電池収納装置２０は、最下段用収納列構造体２１とそれ以外の中段及び上段に用いられる中上段用収納列構造体２２とより構成されている。
【００１７】
最下段用収納列構造体２１は、複数の収納部３０より構成されており、この収納部３０が例えば６個一列に並べて設けられている。この収納部３０は、例えばその厚さを略３ｍｍ程度とした鋼板を溶接などにより接合し、そのうち一面は鉛蓄電池３１の出し入れを行い得るように開放して設けられている。
【００１８】
なお、収納部３０は、これらが互いにボルトで固定される構成やそれぞれが溶接により固定される構成でも構わない。
最下段用収納列構造体２１の底部には、台座３２が取り付けられている。この台座３２は、最下段用収納列構造体２１の底面にその長手方向のほぼ全長に対応する長さを有した長尺部材からなり、この長尺部材からなる台座３２が最下段用収納金枠の底面に例えばボルト等によって係止される構成となっている。
【００１９】
この台座３２を最下段用収納列構造体２１に取り付けた場合には、鉛蓄電池３０を床面から略１００ｍｍ以上離間させることが可能に、その寸法が設定されている。
【００２０】
上記台座３２の下方への突出端部３２ａからは、床面に水平となるように折れ曲がったフランジ部３３となっており、それによってこの台座３２はＬ字形状を為している。このフランジ部３３は、最下段用収納列構造体２１の側面に向かうように形成されており、このフランジ部３３の下面で床面と面接触を為す構成となっている。
【００２１】
このフランジ部３３には、所定間隔ごとに通孔３４が形成されている。この通孔３４の上方からボルト３５を差し込み、そして床面側に形成された不図示のボルト孔にねじ込むことで、このフランジ部３３を床面に対して螺合固定を可能とする構成である。
【００２２】
なお、この台座３２は、上記鉛蓄電池３１を床面から略１００ｍｍ以上離間させることが可能な構成であれば、必ずしもＬ字形状に形成されたものに限らず、フランジ部３３に対応する部分が床面側と広く面接触を為す構成であっても構わない。
【００２３】
また、上記台座３２は必ずしも長尺部材には限られず、収納部３０ごとに分割して取り付ける構成であっても構わない。
最下段用収納列構造体２１の上端部分には、鉛蓄電池３１の収納列構造体２１側面への飛び出しを防止すべく電池押えカバー３６が取り付けられている。ここで、電池押えカバー３６で飛び出しが防止される鉛蓄電池３１の上端部分には、段差部分３１ａが設けられており、この段差部分３１ａに電池押えカバー３６が位置することで鉛蓄電池３１の飛び出しを防止できる構成となっている。
【００２４】
この電池押えカバー３６は、鉛蓄電池３１を収納する収納列構造体２１の上部側辺にその長手方向の全体に亘って取り付けられ、電池押えカバー３６の下方側が鉛蓄電池３１の上部側端部に引っ掛かるような寸法分だけ下方に突出して取り付けられている。
【００２５】
電池押えカバー３６には、内部が空洞に設けられ鉛蓄電池３１の不図示の配線を収納可能とした配線収納部３７が取り付けられている。配線収納部３７は、電池押えカバー３６と同様に収納列構造体２１の長手方向のほぼ全長に亘って設けられており、また適宜の間隔毎に配線を収納するための不図示の孔部若しくはスリットが形成された構成となっている。
【００２６】
最下段用収納列構造体２１の上方両端側には、この最下段用収納列構造体２１の幅寸法よりも両端側に突出して設けられた突出部材３８が取り付けられている。この突出部材３８には、適宜の間隔毎に挿通孔３９が形成されており、この挿通孔３９に不図示のボルトを挿通させて中上段用収納列構造体２２と連結可能としている。
【００２７】
上述の最下段用収納列構造体２１と連結される中上段用収納列構造体２２も、複数（例えば６個）の収納部３０が並べて設けられた構成となっている。この中上段用収納列構造体２２は、最下段用収納列構造体２１とは異なり台座３２が設けられていなく、最下段用収納列構造体２１若しくは他の中上段用収納列構造体２２の上面に面接触して載置される構成である。
【００２８】
しかしながら、それ以外の部分は最下段用収納列構造体２１と同様の構成であり、電池押えカバー３６、配線収納部３７、突出部材３８及びこれに形成された挿通孔３９を有している。また、最下段用収納列構造体２１の突出部材及び他の中上段用収納列構造体２２の突出部材に対応してこれらを取付固定すべく、中上段用収納列構造体２２の下端側面にはちょうつがい４０が取り付けられている。このちょうつがい４０にも不図示の挿通孔が形成されており、その挿通孔は最下段用収納列構造体２１の挿通孔３９と対応する位置に形成されている。
【００２９】
これら最下段用収納列構造体２１と中上段用収納列構造体２２とは、夫々の挿通孔にボルトを挿通させ、これらをナットで締結することにより固定し、それによって全体としてブロック構造が形成される。この場合、例えば鉛蓄電池３１の電圧を２Ｖとすると、４８Ｖの電圧を奏するためにはこれらを２４個、すなわち６個の収納部からなる最下段用収納列構造体２１を１つ、同じく６個の収納部３０からなる中上段用収納列構造体２２を３つ夫々積み重ねてボルトでこれらを固定する。それによって、全体としてブロック構造が形成される。
【００３０】
なお、上記最下段用収納列構造体２１若しくは中上段用収納列構造体２２の側方には、測定装置４２等を取り付けることを可能としている。
以上のような蓄電池収納装置２０によると、最下段用収納列構造体２１に台座３２を取り付け、この台座３２を取り付けた後にこれを所定のスペースに設置するので、予め床面と鉛蓄電池３１の間に必要な間隔が確保でき、また一々そのスペースにＨ鋼を２本平行且つ水平に設置する手間を省くことが可能となる。そのため、蓄電池収納装置２０の設置に際してその利便性が向上したものとなる。
【００３１】
また、台座３２を直接最下段用収納装置２１に取り付け、これをボルト等によって床面に固定する構成であるため、ボルトのねじ込み作業によってこの蓄電池収納装置２０を安定的に床面に固定できると共に、蓄電池収納装置２０を床面から移動する場合にもボルトを緩めて除去するだけで良い。このため、蓄電池収納装置２０の移動に際しても、一々Ｈ鋼を除去せずに済む。
【００３２】
更に、最下段用収納列構造体２１及び中上段用収納列構造体２２には、配線収納部３７が取り付けられた構成であるため、この配線収納部３７の内部に電池の配線を収納することで、この配線がむき出しになって邪魔となることがない。それによって、鉛蓄電池３１の保守作業時に作業者が誤ってこの配線を切断してしまうといった不具合が生じるのを防止することが可能となる。
以上、本発明の一実施の形態について説明したが、本発明はこれ以外にも要旨を変更しない範囲において種々変形可能である。
【００３３】
【発明の効果】
以上説明したように、本発明によると、収納装置の最下段の列には、これが設置される床面に対して電池を所定間隔離間させて設ける台座が取り付けられているので、従来のように床面にＨ鋼を２本敷設するときに要していた床面が平らでない場合にＨ鋼を相互に水平且つ平行に設置するという労力を低減することができる。
【００３４】
また、必ずしも十分な広さの長方形状の設置場所を確保できない場合でも、台座を直接最下段の列に取り付けた構成であるため、この設置場所に応じた分だけの収納部の列に設定してその上に列を段状に積み上げることで、収納装置のブロック構造を形成することができる。
【００３５】
更に、上記電池には配線が接続されており、この配線を収納する配線収納部が収納部の列状の配置の略全長に亘って設けられているため、電池に接続される配線をこの配線収納部で収納することにより配線がむき出しにならず、そのため電池の保守作業時に作業者が誤ってこの配線を切断してしまうといった不具合を防止することが可能となる。
【図面の簡単な説明】
【図１】本発明の一実施の形態に係わる収納装置の構成を示す斜視図。
【図２】同実施の形態に係わる最下段用収納列構造体の構成を示す図で、（ａ）は平面図、（ｂ）は正面図、（ｃ）は側面図である。
【図３】同実施の形態に係わる中上段用収納列構造体の構成を示す図で、（ａ）は平面図、（ｂ）は正面図、（ｃ）は側面図である。
【符号の説明】
２０…蓄電池収納装置
２１…最下段用収納列構造体
２２…中上段用収納列構造体
３０…収納部
３１…鉛蓄電池
３２…台座
３３…フランジ部
３６…電池押えカバー
３７…配線収納部
３８…突出部材
４０…ちょうつがい
【図１】
0003599569.tif 000002
【図２】
0003599569.tif 000003
【図３】
0003599569.tif 000004